(57)【要約】【課題】表示パネルが本体に接触することで、操作部の誤操作をしたりやパネルに傷がつく。【解決手段】パネル収納位置にメジャーフックを配置しパネル受けとする。また、メジャーフックの外側を緩衝部材で覆うことで表示パネルが接触しても傷がつかない。【選択図】図３
2018146774.tif 000002
【特許請求の範囲】
【請求項１】
光を電気信号に変換する撮像素子と、
撮像素子の受光面と実質同一面上に設けられたフックと、
フック近傍に設けられた操作部と、
付属品が取り付けられる装着部を有し、
フックが操作部よりも突出して設けられていることを特徴とする撮像装置。
【請求項２】
映像を表示することができる表示ユニットと
表示ユニットに付けて表示ユニットを可動することができるヒンジユニットにおいて、
表示ユニットにヒンジユニットを付けて上記装着部に装着状態で、
表示ユニットを撮像装置に沿った収納位置に可動すると、
上記フックが表示ユニットと当接することを特徴とする請求項１に記載の撮像装置。
【請求項３】
金属の芯部と、
外周を覆っている緩衝材で構成されている上記フックであることを特徴とする、
請求項１または２に記載の撮像装置。
【請求項４】
芯部の鍔部外周に溝が設けられている上記フックであることを特徴とする、
請求項１乃至３のいずれか１項に記載の撮像装置。
【発明の詳細な説明】
【技術分野】
【０００１】
本発明は、撮像装置の撮像素子からの距離測定具を支持する構造に関するものである。
【背景技術】
【０００２】
業務用のレンズ交換式ビデオカメラでは、撮像素子の受光面から被写体までの距離にレンズの焦点距離をあわせるため、起点となる受光面の位置がわかるように、筺体に受光面の位置を示すマークが設けられている。また、受光面からの距離を計測するメジャーを掛けることができるようにフックが設けられているものもある。
【０００３】
一方、業務用のビデオカメラには、ビデオカメラに三脚やアクセサリーシューなどアクセサリ装着部が設けられている。アクセサリ装着部には撮影映像や設定状況を確認できる表示ユニットを装着することがある（特許文献１参照）。また、表示ユニットはヒンジを介してビデオカメラに装着することにより、表示面の向きを変えられるものもある。撮影時には表示面が露出するような位置に設置し、運搬時には邪魔にならないように表示面が本体に対向するように寄せられた位置に変えられるものもある。
【先行技術文献】
【特許文献】
【０００４】
【特許文献１】特開２０１１−２２３５４１号公報
【発明の概要】
【発明が解決しようとする課題】
【０００５】
しかしながら、ヒンジを介して装着された表示ユニットのアクセサリーにおいて表示面がビデオカメラ本体に対向する位置となる場合には、表示面と本体が接触し、本体に設けられた突出した操作部に誤操作を生じるという問題があった。また、表示面が本体との当接することで、表示面に傷がついて視認性が低下する問題があった。
【課題を解決するための手段】
【０００６】
本発明の撮像装置は、光を電気信号に変換する撮像素子と、撮像素子の受光面と略同一面上に設けられたフックと、フック近傍に設けられた操作部と付属品が取り付けられる装着部を有し、フックが操作部よりも突出して設けられていることを特徴としている。
【０００７】
また、本発明の他の特徴とするところは、映像を表示することができる表示ユニットと、表示ユニットに付けて表示ユニットを可動することができるヒンジユニットにおいて、表示ユニットにヒンジユニットを付けて上記装着部に装着状態で、表示ユニットを撮像装置に沿った収納位置に可動すると、フックが表示ユニットと当接することを特徴としている。
【０００８】
また、本発明のその他の特徴とするところは、金属の芯部と、外周を覆っている緩衝材で構成されているフックであることを特徴としている。
【０００９】
また、本発明のその他の特徴とするところは、芯部の鍔部外周に溝が設けられているフックであることを特徴としている。
【発明の効果】
【００１０】
以上説明したように、本出願の発明によれば、近傍にある操作部よりフックを突出して設けることにより操作部の誤操作を防止する。また、フックを緩衝材で覆うことにより、表示面への傷を防ぎ、表示面の視認性を確保できる。
【図面の簡単な説明】
【００１１】
【図１】撮像装置１００の斜視図。
【図２】本体部１０１の斜視図。
【図３】撮像装置１００の背面図。
【図４】メジャーフック６００の構造図。
【図５】メジャーフック６００中心の断面図。
【図６】メジャーフック６００が撮像装置１００より外れた状態の斜視図。
【図７】メジャーフック６００の上面図。
【図８】メジャーをメジャーフック６００に掛けた例の斜視図。
【発明を実施するための形態】
【００１２】
以下、本発明を実施するための形態を図面に基づいて説明する。図１は本発明の実施形態にかかわる撮像装置１００の斜視図である。なお、本実施形態においては、被写体に向かう方向で上下左右とし、被写体側を正面、正面と対向する面を背面と定義し説明を行う。
【００１３】
図１に示すように撮像装置１００は、本体部１０１、ハンドル２００、ヒンジユニット３００、表示ユニット４００、レンズユニット５００から構成されている。ハンドル２００は、ハンドル底面に本体に装着できる装着部２０１、本体部１０１に装着状態で手を掛けるための把持部２０２、ハンドル正面にアクセサリを着脱することができるアクセサリ装着部２０３で構成されている。本体部１０１の上部のアクセサリ装着部１０３（図２に図示）とハンドルの装着部２０１をねじにて締結することでハンドル２００を装着できる。
【００１４】
ヒンジユニット３００はヒンジユニット背面に装着部３０１、独立して３６０度回転可能な３軸（３００−１、３００−２、３００−３）、アクセサリ装着部３０２で構成される。ハンドル２００のアクセサリ装着部２０３とヒンジユニット３００の装着部３０１をねじで締結することでヒンジユニット３００がハンドル２００を介して本体部１０１に接続される。表示ユニット４００は撮影・再生映像や機能設定条件を表示することができる表示部４０１と本体を操作するための操作部４０２、表示ユニット４００を装着するための装着部４０３、で構成される。ヒンジユニット３００のアクセサリ装着部３０２と表示ユニット４００の装着部４０３をねじで締結することで表示ユニット４００はヒンジユニット３００とハンドル２００を介して本体と接続される。
【００１５】
図２は本体部１０１の斜視図である。本体部１０１は、正面にレンズを装着できるレンズ装着部１０２、上面にはアクセサリなどを取り付けることができるアクセサリ装着部１０３、左側面には本体電源ＯＮ／ＯＦＦの指示を出す電源スイッチ１０４、機能変更などの設定が可能な操作スイッチ１０５、後述するメジャーフック６００より構成されている。本体内部には不図示の撮像素子があり、レンズに入る光を撮像素子の受光面から電気信号に変換することができる。
【００１６】
次にメジャーフック６００について説明する。レンズ交換式の撮像装置では、被写体から撮像素子の受光面までの距離をレンズに設定することでピントを合わせる方法がある。被写体から撮像素子の受光面までの距離を測定する際に、距離の測定具であるメジャーの端を引っかけて固定するために、メジャーフック６００が設けられている。測定は受光面が起点となるため、メジャーフック６００  は引っかける軸が受光面と同一面上となる位置に配置される。本実施例ではメジャーフック６００を本体部１０１左側面の電源スイッチ１０４の前方に配置している。また、図示しないケーブルで接続することで本体部１０１と表示ユニット４００は電気的に接続される。
【００１７】
図３はヒンジユニット３００の軸を回転させて表示ユニット４００の表示部４０１を本体側に向けた、表示ユニット４００の収納状態での背面図である。収納状態では、表示ユニット４００が本体部１０１の左側面の上部に対向した位置となる。メジャーフック６００は周辺の電源スイッチ１０４などの操作部より突出しているため、表示ユニット４００を収納状態にするとメジャーフック６００の天面で表示ユニット４００が接触して、ヒンジユニット３００の回転が止まる。これにより、電源スイッチ１０４と表示ユニット４００は接触することがなくなり、電源スイッチ１０４の誤操作を防止できる。
【００１８】
次に、メジャーフック６００の構造について図４を用いて説明する。メジャーフック６００は径の太い抜け止め部６０１と径の細いフック部６０２で構成されている。メジャーはフック部６０２に当接し、抜け止め部６０１に乗り上げない位置で引っ掛けられる。図５はメジャーフック６００中心の断面図である。メジャーフック６００の中心部は金属の芯部６０３で構成され、メジャーフック６００使用時に破壊することがないように、芯部６０３で強度を保っている。
【００１９】
芯部６０３はメジャーフック６００外形と同様に、径が太く鍔形状をした抜け止め部６０１と径が細いフック部６０２で構成されている。芯部６０３の外側はゴムやエラストマーなどの緩衝材６０４で覆われている。表示ユニット４００の収納状態では、表示部４０１とメジャーフック６００の上面である抜け止め部６０１が当接するが、抜け止め部６０１が緩衝材６０４に覆われているため表示部４０１にキズを付けることがない。また、図６はメジャーフック６００が撮像装置１００より外れた状態の斜視図である。メジャーフック６００は本体部１０１に着脱が可能なように先端が雄ねじ６０５になっている。本体部１０１には雌ねじ６０６穴があり、雌ねじ６０６にメジャーフックの雄ねじ６０５を締めつけることで、メジャーフック６００が装着できる。
【００２０】
図７はメジャーフック６００の上面図（図６のＡ方向からの図）である。破線は芯部６０３の抜け止め部６０１の形状を表している。芯部の抜け止め部６０１には円周部に切り欠き形状６０７があり、その周りを緩衝材６０４が覆う構成である。メジャーフック６００を着脱する際には抜け止め部６０１をつかんで回転させることによってねじを締め付けて装着する。その際に切り欠き形状６０７に緩衝材６０４が引っかかることで空転を防止し、緩衝材６０４が芯部６０３に対して空転しない。空転してねじを締めつけれられなくなったり、または、外せなくなるのを防止することができる。
【００２１】
図８はメジャーをメジャーフックに掛けた例の図である。メジャーフック６００のフック部６０２にメジャー７００の先端部が掛けられる。図５で示したように、メジャー７００が当たるフック部６０２には緩衝材６０４がついているため、メジャー７００と緩衝材６０４との間で摩擦が生じ、測定時のメジャー７００が滑らず測定しやすくなる。また、メジャー７００が当接する箇所に緩衝材６０４があることで、メジャー７００やメジャーフック６００に傷が付くのを防ぐことができる。
【００２２】
これまで述べてきたとおり、自在に可動する表示ユニットの収納位置に、突出したメジャーフック６００を配置した構成をとることにより、表示ユニットによる操作部の誤操作を防ぐことができる。また、メジャーフック６００を緩衝材６０４で覆うことにより、表示面の傷を防ぎ、表示面の視認性を確保することができる撮像装置を提供することができる。
【００２３】
以上、本発明の好ましい実施形態について説明したが、本発明はこれらの実施形態に限定されず、その要旨の範囲内で種々の変形及び変更が可能である。
【符号の説明】
【００２４】
１００  ・・・・  撮像装置
１０１  ・・・・  本体部
１０２  ・・・・  レンズ装着部
１０３  ・・・・  アクセサリ装着部
１０４  ・・・・  電源スイッチ
１０５  ・・・・  操作スイッチ
２００  ・・・・  ハンドル
２０１  ・・・・  装着部
２０２  ・・・・  把持部
２０３  ・・・・  アクセサリ装着部
３００  ・・・・  ヒンジユニット
３０１  ・・・・  装着部
３０２  ・・・・  アクセサリ装着部
４００  ・・・・  表示ユニット
４０１  ・・・・  表示部
４０２  ・・・・  操作部
４０３  ・・・・  装着部
５００  ・・・・  レンズユニット
６００  ・・・・  メジャーフック
６０１  ・・・・  抜け止め部
６０２  ・・・・  フック部
６０３  ・・・・  芯部
６０４  ・・・・  緩衝材
６０５  ・・・・  雄ねじ
６０６  ・・・・  雌ねじ
６０７  ・・・・  切り欠き形状
７００  ・・・・  メジャー
【図１】
2018146774.tif 000003
【図２】
2018146774.tif 000004
【図３】
2018146774.tif 000005
【図４】
2018146774.tif 000006
【図５】
2018146774.tif 000007
【図６】
2018146774.tif 000008
【図７】
2018146774.tif 000009
【図８】
2018146774.tif 000010